【手続補正書】
【提出日】令和3年10月4日(2021.10.4)
【手続補正１】
【補正対象書類名】特許請求の範囲
【補正対象項目名】全文
【補正方法】変更
【補正の内容】
【特許請求の範囲】
【請求項１】
内視鏡システムのための吹込制御デバイスであって、
前記内視鏡システムの吹込器に対して下流に、かつ前記内視鏡システムの内視鏡に対して上流に配置された元弁；
前記吹込器に対して下流に、かつ前記内視鏡に対して上流に配置された子弁；及び  前記内視鏡システムから又は前記リモートコンソールから受信したコマンドに応答して、前記元弁又は前記子弁のうちの１つ又は複数を動作制御するように構成された弁制御器を含み、
前記元弁及び前記子弁は、互いに直列に配置されている該デバイス。
【請求項２】
前記弁制御器は、前記内視鏡システムから又は前記リモートコンソールから受信したコマンドに応答して、前記元弁及び前記子弁の両方を動作制御するように構成され、それによって、正常の動作条件下では、前記元弁と前記子弁の両方が、実質的に同時に開閉される請求項１に記載のデバイス。
【請求項３】
前記弁制御器は、前記内視鏡システムから又は前記リモートコンソールから受信したコマンドに応答して、前記元弁のみを動作制御するように構成され、前記正常の動作条件下では、前記子弁は開いており、前記弁制御器は、オーバーライドコマンドに応答して前記子弁を閉じるように構成されている請求項１に記載のデバイス。
【請求項４】
前記デバイスは、前記吹込器に対して下流に、前記内視鏡に対して上流に、かつ前記元弁と並列に配置された追加の元弁をさらに含み、
前記弁制御器は、前記内視鏡システムから又は前記リモートコンソールから受信したコマンドに応答して、前記元弁、前記子弁及び前記追加の元弁を動作制御するようにさらに構成され、それによって、前記正常の動作条件下では、前記元弁、前記子弁及び前記追加の元弁が、実質的に同時に開閉される請求項１に記載のデバイス。
【請求項５】
前記吹込器に対して下流に、かつ前記内視鏡に対して上流に、かつ前記元弁と並列に配置される追加の元弁をさらに有し、
前記弁制御器は、前記内視鏡システムから又は前記リモートコンソールから受信したコマンドに応答して、前記元弁及び前記追加の元弁のみを動作制御するように構成され、前記正常の動作条件下では、前記子弁は開いており、前記弁制御器は、オーバーライドコマンドに応答して前記子弁を閉じるように構成されている請求項１に記載のデバイス。
【請求項６】
前記デバイスは、前記元弁と直列に、前記元弁に対して下流に、かつ前記内視鏡に対して上流に配置された空気流量センサをさらに含み、前記空気流量センサ及び前記元弁は、前記内視鏡システムの吹込チューブと流体連通し、前記空気流量センサは、前記吹込チューブを通る空気流量の表示を提供するように構成されている請求項１乃至５のいずれか１項に記載のデバイス。
【請求項７】
前記デバイスは、弁制御ユニットをさらに含み、前記空気流量センサを有する前記弁制御ユニットは、前記弁からの空気漏れを意味する、前記空気流量センサによって決定される前記吹込チューブを通る空気流量が所定のレベルを超えることを条件として、警告を提供するようにさらに構成されている請求項６に記載のデバイス。
【請求項８】
内視鏡システムのための吹込制御デバイスであって、
前記内視鏡システムの吹込器に対して下流に、かつ前記内視鏡システムの内視鏡に対して上流に配置された弁；及び
切り替えコマンドが受信されることを条件として、前記内視鏡システムから受信したコマンドに応答して前記弁を動作制御するように構成された、及び／又はリモートコンソールから受信したコマンドに応答して前記弁を動作制御するように構成された、弁制御器を含む該デバイス。
【請求項９】
前記切り替えコマンドは、前記内視鏡システムから前記リモートコンソールに、又はその逆に、制御を切り替えるユーザの指示に応答して、前記内視鏡システムに関連付けられた入力モジュールから前記弁制御器に送信される請求項８に記載のデバイス。
【請求項１０】
前記切り替えコマンドは、前記内視鏡システムから前記リモートコンソールに、又はその逆に、制御を切り替えるユーザの指示に応答して、前記リモートコンソールに関連付けられた入力モジュールから前記弁制御器に送信される請求項８に記載のデバイス。
【請求項１１】
前記切り替えコマンドは、前記内視鏡のドッキング状態に基づいて前記内視鏡システムのドッキングモジュールから前記弁制御器に送信される請求項８に記載のデバイス。
【請求項１２】
内視鏡システムのための吹込制御デバイスであって、
前記内視鏡システムの吹込器に対して下流に、かつ前記内視鏡システムの内視鏡に対して上流に配置された弁；及び
前記内視鏡システムまたはリモートコンソールからの前記弁の制御を有効または無効にするインターロックコマンドを受信することを条件として、前記内視鏡システムから又は前記リモートコンソールから受信したコマンドに応答して、前記弁を動作制御するように構成された弁制御器
を含む該デバイス。
【請求項１３】
前記インターロックコマンドは、前記内視鏡のドッキング状態に基づいて、前記内視鏡システムのドッキングモジュールから前記弁制御器に送信される請求項１２に記載のデバイス。
【請求項１４】
前記デバイスは、（ｉ）前記弁、（ｉｉ）前記内視鏡システムに関連付けられた前記入力モジュール、及び／又は（ｉｉｉ）前記リモートコンソールに関連付けられた前記入力モジュールと通信する出力モジュールをさらに含み、前記出力モジュールは、前記弁の動作状態；及び前記内視鏡システムから受信したコマンドの存在；及び／又は前記リモートコンソールから受信したコマンドの存在の表示を提供するように構成されている請求項８又は１２のいずれか１項に記載のデバイス。
【請求項１５】
前記デバイスは、前記弁と直列に、前記弁に対して下流に、かつ前記内視鏡に対して上流に配置される空気流量センサをさらに含み、前記空気流量センサ及び前記元弁は、前記内視鏡システムの吹込チューブと流体連通し、前記空気流量センサは、前記空気流量センサによって決定された前記吹込チューブを通る空気流量が所定のレベルを超えているか、又は所定時間よりも長く存在していることを条件として、前記弁制御器に閉鎖コマンドを送信するように構成されている請求項８又は１２のいずれか１項に記載のデバイス。
【手続補正２】
【補正対象書類名】明細書
【補正対象項目名】０１２６
【補正方法】変更
【補正の内容】
【０１２６】
広範に記載される本発明の精神又は範囲から逸脱することなく、実施形態に示されるように、本発明に対して多数の変更及び／又は修正がなされ得ることが当業者によって理解される。従って、実施形態は、あらゆる点で例示的であり、限定的ではないとみなされるべきである。
以下に、本願出願の当初の特許請求の範囲に記載された発明を付記する。
[１]  内視鏡システムであって、
内部に中空チューブが形成された内視鏡と、
前記中空チューブを通して挿入するための器具とを含み、
前記器具は、動作制御のための第１の端部と、前記内視鏡の遠位端での器具動作のための第２の遠位端とを有し、前記内視鏡の遠位端は、前記器具の遠位端における器具動作の動作制御のために、前記内視鏡の遠位端における照明された視覚を提供するための照明デバイス及び視覚デバイスを有し、かつ
前記器具の遠位端及び前記内視鏡の遠位端は、前記内視鏡に対する前記器具の回転制御のために相互動作可能に連結される該システム。
[２]  ディボットが、前記器具又は前記内視鏡のうちの第１のものの遠位端から所定の距離に形成され、ニップルが、前記器具又は前記内視鏡のうちの第２のものの遠位端から所定の距離に配置され、それによって、前記器具及び前記内視鏡が前記内視鏡に対する前記器具のさらなる回転を機械的に防止するために所定の方法で方向付けられると、前記ディボット及び前記ニップルは相互動作可能に連結し、前記ディボット及び前記ニップルのうち一方又は両方は、コンプライアントに可撓性である[１]に記載のシステム。
[３]  ニップルが、前記内視鏡の遠位端から所定の距離に配置され、前記内視鏡の内面の可撓性部分が、前記内視鏡の遠位端から所定の距離に配置され、前記システムは、前記器具の遠位端から所定の距離に配置されたディボットをさらに含み、それによって、前記器具及び前記内視鏡が前記内視鏡に対する前記器具のさらなる回転を機械的に防止するために所定の方法で方向付けられると、前記ニップル及び前記ディボットはそれらの間に配置された内面の前記可撓性部分とともに相互動作可能に連結し、コンプライアント表面は、前記内視鏡の前記中空チューブの内面の一体型液密可撓性部分を含む[１]に記載のシステム。
[４]  前記内視鏡は、前記内視鏡の遠位端から所定の距離に配置された光学センサシステムを含み、前記光学センサシステムは、光学エミッタ及び光学レシーバを含み、光学双方向デバイスが、前記器具の遠位端から所定の距離に、前記器具上又は前記器具内に配置され、それによって、前記光学センサシステム及び前記光学双方向デバイスは、ともに動作して、前記内視鏡に対する前記器具の方向を示す方向信号を発生させる[１]に記載のシステム。
[５]  前記光学エミッタは、前記内視鏡内に配置され、第１の内部側から所定の周波数又は複数の周波数の光を発し、前記光学レシーバは、前記内視鏡内に配置され、前記内視鏡の第１の側の反対側の第２の側で所定の周波数又は複数の周波数の光を受け、前記光学双方向デバイスは、前記器具の他の部分と比較して、前記器具の多少は光を透過する部分を含み、前記光学センサシステムは、前記光学双方向デバイスとともに動作して、前記器具の前記多少は光を透過する部分を通過する前記光学エミッタから前記光学レシーバへの光に応答して、前記内視鏡に対する前記器具の方向を示す方向信号を発生させる[４]に記載のシステム。
[６]  前記光学エミッタは、前記内視鏡内に配置され、第１の内部側から所定の周波数又は複数の周波数の光を発し、前記光学レシーバは、前記内視鏡内に配置され、前記内視鏡の第１の側の反対側の第２の側で所定の周波数又は複数の周波数の光を受け、前記光学双方向デバイスは、前記器具の他の部分と比較して、光の所定の偏光のみを拡散、方向転換又は付与する器具の光学双方向部分を含み、前記光学センサシステムは、前記光学双方向デバイスとともに動作して、前記器具の前記光学双方向部分を通過する前記光学エミッタから前記光学レシーバへの拡散、方向転換、又は再偏光された光に応答して、前記内視鏡に対する前記器具の方向を示す方向信号を発生させる[４]に記載のシステム。
[７]  前記光学エミッタ及び前記光学レシーバは、前記内視鏡内に配置され、第１の内部側から所定の周波数又は複数の周波数の光を発し、前記内視鏡の第１の内部側で所定の周波数又は複数の周波数の光を受け、前記光学双方向デバイスは、前記器具に又は前記器具の一部に、前記器具の他の部分と比較して多少は光を反射するデバイスを含み、前記光学センサシステムは、前記光学双方向デバイスとともに動作して、前記器具の又は前記器具の一部の前記多少は光を反射するデバイスから前記光学レシーバに反射する、前記光学エミッタからの光に応答して、前記内視鏡に対する前記器具の方向を示す方向信号を発生させる[４]に記載のシステム。
[８]  前記光学エミッタ及び前記光学レシーバは、前記内視鏡内に配置され、第１の内部側から所定の周波数又は複数の周波数の光を発し、前記内視鏡の第１の内部側で所定の周波数又は複数の周波数の光を受け、前記光学双方向デバイスは、前記器具の他の部分と比較して、光の所定の偏光のみを拡散、方向転換又は付与する器具の光学双方向部分を含み、前記光学センサシステムは、前記光学双方向デバイスとともに動作して、前記器具の前記光学双方向部分から前記光学レシーバに反射する前記光学エミッタからの拡散、方向転換、再偏光された光に応答して、前記内視鏡に対する前記器具の方向を示す方向信号を発生させる[４]に記載のシステム。
[９]  前記光学エミッタ及び前記光学レシーバが、前記内視鏡の前記中空チューブの前記内面の一体型液密の光透過性部分の後方の前記内視鏡内に配置される[４]〜[８]のいずれか１に記載のシステム。
[１０]  前記内視鏡は、前記内視鏡の遠位端と前記器具から所定の距離に配置された磁界検出システムをさらに含み、前記磁界検出システムは、前記内視鏡に対する前記器具の方向を示す方向信号を発生させるように動作可能に連結された磁界センサ及び磁界生成器を含む[１]に記載のシステム。
[１１]  前記磁界センサは、ホール効果センサ及び磁力計のうち１つ又は複数を含む[１０]に記載のシステム。
[１２]  前記磁界生成器は、永久磁石と、磁界を生成するように動作可能に通電可能であるワイヤのコイルのうち１つ又は複数を含む[１０]に記載のシステム。
[１３]  前記内視鏡は、前記磁界センサを含み、前記磁界生成器は、前記器具上又は前記器具内に整列され、前記内視鏡に対する前記器具の方向の変化は、前記内視鏡の前記磁界センサにおける磁界強度又は磁界方向の検出可能な変化をもたらす[１０]に記載のシステム。
[１４]  前記器具は、前記磁界センサを含み、前記磁界生成器は、前記内視鏡上又は前記内視鏡内に整列され、前記内視鏡に対する前記器具の方向の変化は、前記器具の前記磁界センサにおける磁界強度又は磁界方向の検出可能な変化をもたらす[１０]に記載のシステム。
[１５]  前記内視鏡は、前記内視鏡の遠位端に、取り外し可能なフードを含み、前記器具の遠位端及び前記取り外し可能なフードは、前記内視鏡に対する前記器具の回転制御のために相互動作可能に連結される[１]に記載のシステム。
[１６]  溝が、前記器具の遠位端から所定の距離に、前記器具に形成され、スプリングピンが、前記取り外し可能なフードの遠位端から所定の距離に、前記取り外し可能なフードに配置され、それによって、前記器具及び前記内視鏡が前記内視鏡に対する前記器具のさらなる回転を機械的に防止するために所定の方法で方向付けられると、前記スプリングピン及び前記溝は相互動作可能に係合する[１５]に記載のシステム。
[１７]  前記取り外し可能なフードに設けられたチャンネルの長手方向に配置された２つ又は複数のスプリングピンと、前記器具に溝を形成する複数のガイド構成要素とをさらに含み、前記複数のガイド構成要素は、複数の環状の剛性構成要素を含み、互いに所定の距離内に配置され、前記複数の環状の剛性構成要素のそれぞれに形成された溝の長さがＬ１であり、２つの隣接する環状の剛性構成要素間の距離がＬ２であり、かつ２つの隣接するスプリングピン間の距離がＬ３である場合、Ｌ１はＬ３よりも大きく、Ｌ３はＬ２よりも大きい（Ｌ１＞Ｌ３＞Ｌ２）、[１６]に記載のシステム。
[１８]  リーフスプリングが、前記器具の遠位端から所定の距離に、前記器具に配置され、溝が、前記取り外し可能なフードの遠位端から所定の距離に、前記取り外し可能なフードに形成され、それによって、前記器具及び前記内視鏡が前記内視鏡に対する前記器具のさらなる回転を機械的に防止するために所定の方法で方向付けられると、前記リーフスプリング及び前記溝は相互動作可能に係合する[１５]に記載のシステム。
[１９]  溝が、前記器具の遠位端から所定の距離に、前記器具に配置され、コンプライアント転動要素が、前記取り外し可能なフードの遠位端から所定の距離に、前記取り外し可能なフードに配置され、それによって、前記器具及び前記内視鏡が前記内視鏡に対する前記器具のさらなる回転を機械的に防止するために所定の方法で方向付けられると、前記コンプライアント転動要素及び前記溝は相互動作可能に係合する[１５]に記載のシステム。
[２０]  前記コンプライアント転動要素は、転動要素を含み、前記コンプライアント転動要素のコンプライアビリティは、前記転動要素の外面の周りに対称的に配置された弾性材料及び前記転動要素のコンプライアント軸のうちの一方又は両方によって提供される[１９]に記載のシステム。
[２１]  前記転動要素は、ベアリング又はブッシングを含む[２０]に記載のシステム。
[２２]  前記転動要素の前記コンプライアント軸は、前記転動要素にコンプライアビリティを提供するためのスプリング荷重要素を含む[２０]又は[２１]に記載のシステム。
[２３]
突起が、前記器具の遠位端から所定の距離に、前記器具に形成され、Ｃ−スプリングが、前記取り外し可能なフードの遠位端から所定の距離に、取り外し可能なフードに配置され、それによって、前記器具及び前記内視鏡が前記内視鏡に対する前記器具のさらなる回転を機械的に防止するために所定の方法で方向付けられると、前記突起及び前記Ｃ−スプリングは相互動作可能に係合する[１５]に記載のシステム。
[２４]  回転阻害デバイスは、前記取り外し可能なフードに配置され、前記回転阻害デバイスは、前記内視鏡に対する前記器具の回転を低減するために、前記器具が前記回転阻害デバイス内で並進運動しようとすると前記器具に対して少ない摩擦を付与し、前記器具が前記回転阻害デバイス内で回転運動しようとすると前記器具に対して高い摩擦を付与する[１５]に記載のシステム。
[２５]  前記回転阻害デバイスは、エラストマーチューブの内周の周りに配置された歯を有するエラストマーチューブを含み、歯が前記器具に接触し、前記器具の表面に実質的に垂直力を付与し、前記エラストマーチューブの歯は、並進方向に屈曲する場合よりも回転方向に屈曲する場合の方が硬い[２４]に記載のシステム。
[２６]  前記回転阻害デバイスは、前記取り外し可能なフードに配置された左巻きコイルと、同じく前記取り外し可能なフードに配置された右巻きコイルとを含み、前記左巻きコイルと前記右巻きコイルは、回転防止クラッチとしてともに機能し、それによって、前記左巻きコイルは、前記器具が右に回転しようとすると前記器具に高い摩擦を付与し、前記右巻きコイルは、前記器具が左に回転しようとすると前記器具に高い摩擦を付与し、前記左巻きコイル及び前記右巻きコイルは、前記器具が並進運動しようとすると前記器具に少ない摩擦を付与する[２４]に記載のシステム。
[２７]  係合可能なデバイスが、前記器具の遠位端から所定の距離に、前記器具に形成され、対応する構造が、前記取り外し可能なフードの遠位端から所定の距離に、前記取り外し可能なフードに配置され、それによって、前記器具が前記内視鏡を通して一定距離に延ばされ、前記内視鏡に対する前記器具のさらなる回転を機械的に防止するために所定の方法で方向付けられると、前記係合可能なデバイス及び前記対応する構造は相互動作可能に係合する[１５]に記載のシステム。
[２８]  前記対応する構造の長さは、２つの隣接する係合可能なデバイス間の距離よりも長い[２６]に記載のシステム。
[２９]  内視鏡システムのための吹込制御デバイスであって、
前記内視鏡システムの吹込器に対して下流に、かつ前記内視鏡システムの内視鏡に対して上流に配置された元弁；
前記吹込器に対して下流に、かつ前記内視鏡に対して上流に配置された子弁；及び  前記内視鏡システムから又は前記リモートコンソールから受信したコマンドに応答して、前記元弁又は前記子弁のうちの１つ又は複数を動作制御するように構成された弁制御器を含み、
前記元弁及び前記子弁は、互いに直列に配置されている該デバイス。
[３０]  前記弁制御器は、前記内視鏡システムから又は前記リモートコンソールから受信したコマンドに応答して、前記元弁及び前記子弁の両方を動作制御するように構成され、それによって、正常の動作条件下では、前記元弁と前記子弁の両方が、実質的に同時に開閉される[２９]に記載のデバイス。
[３１]  前記弁制御器は、前記内視鏡システムから又は前記リモートコンソールから受信したコマンドに応答して、前記元弁のみを動作制御するように構成され、前記正常の動作条件下では、前記子弁は開いており、前記弁制御器は、オーバーライドコマンドに応答して前記子弁を閉じるように構成されている[２９]又は[３０]に記載のデバイス。
[３２]  前記デバイスは、前記吹込器に対して下流に、前記内視鏡に対して上流に、かつ前記元弁と並列に配置された追加の元弁をさらに含み、
前記弁制御器は、前記内視鏡システムから又は前記リモートコンソールから受信したコマンドに応答して、前記元弁、前記子弁及び前記追加の元弁を動作制御するようにさらに構成され、それによって、前記正常の動作条件下では、前記元弁、前記子弁及び前記追加の元弁が、実質的に同時に開閉される[２９]に記載のデバイス。
[３３]  前記弁制御器は、前記内視鏡システムから又は前記リモートコンソールから受信したコマンドに応答して、前記元弁及び前記追加の元弁のみを動作制御するように構成され、前記正常の動作条件下では、前記子弁は開いており、前記弁制御器は、オーバーライドコマンドに応答して前記子弁を閉じるように構成されている[３２]に記載のデバイス。
[３４]  前記デバイスは、前記元弁と直列に、前記元弁に対して下流に、かつ前記内視鏡に対して上流に配置された空気流量センサをさらに含み、前記空気流量センサ及び前記元弁は、前記内視鏡システムの吹込チューブと流体連通し、前記空気流量センサは、前記吹込チューブを通る空気流量の表示を提供するように構成されている[３３]に記載のデバイス。
[３５]  前記デバイスは、弁制御ユニットをさらに含み、前記空気流量センサを有する前記弁制御ユニットは、前記弁からの空気漏れを意味する、前記空気流量センサによって決定される前記吹込チューブを通る空気流量が所定のレベルを超えることを条件として、警告を提供するようにさらに構成されている[３４]に記載のデバイス。
[３６]  内視鏡システムのための吹込制御デバイスであって、
前記内視鏡システムの吹込器に対して下流に、かつ前記内視鏡システムの内視鏡に対して上流に配置された弁；及び
切り替えコマンドが受信されることを条件として、前記内視鏡システムから受信したコマンドに応答して前記弁を動作制御するように構成された、及び／又はリモートコンソールから受信したコマンドに応答して前記弁を動作制御するように構成された、弁制御器を含む該デバイス。
[３７]  前記切り替えコマンドは、前記内視鏡システムから前記リモートコンソールに、又はその逆に、制御を切り替えるユーザの指示に応答して、前記内視鏡システムに関連付けられた入力モジュールから前記弁制御器に送信される[３６]に記載のデバイス。
[３８]  前記切り替えコマンドは、前記内視鏡システムから前記リモートコンソールに、又はその逆に、制御を切り替えるユーザの指示に応答して、前記リモートコンソールに関連付けられた入力モジュールから前記弁制御器に送信される[３７]に記載のデバイス。
[３９]  内視鏡システムのための吹込制御デバイスであって、
前記内視鏡システムの吹込器に対して下流に、かつ前記内視鏡システムの内視鏡に対して上流に配置された弁；及び
インターロックコマンドが前記弁制御器に受信されることを条件として、前記内視鏡システムから又はリモートコンソールから受信したコマンドに応答して、前記弁を動作制御するように構成された弁制御器
を含む該デバイス。
[４０]  前記インターロックコマンドは、前記内視鏡のドッキング状態に基づいて、前記内視鏡システムのドッキングモジュールから前記弁制御器に送信される[３９]に記載のデバイス。
[４１]  前記デバイスは、（ｉ）前記弁、（ｉｉ）前記内視鏡システムに関連付けられた前記入力モジュール、及び／又は（ｉｉｉ）前記リモートコンソールに関連付けられた前記入力モジュールと通信する出力モジュールをさらに含み、前記出力モジュールは、前記弁の動作状態；及び前記内視鏡システムから受信したコマンドの存在；及び／又は前記リモートコンソールから受信したコマンドの存在の表示を提供するように構成されている[３９]に記載のデバイス。
[４２]  前記デバイスは、前記弁と直列に、前記弁に対して下流に、かつ前記内視鏡に対して上流に配置される空気流量センサをさらに含み、前記空気流量センサ及び前記元弁は、前記内視鏡システムの吹込チューブと流体連通し、前記空気流量センサは、前記空気流量センサによって決定された前記吹込チューブを通る空気流量が所定のレベルを超えているか、又は所定時間よりも長く存在していることを条件として、前記弁制御器に閉鎖コマンドを送信するように構成されている[４１]に記載のデバイス。
[４３]  内視鏡システムのための内視鏡手術器具の入口デバイスであって、
前記本体の厚みを通って延びるチャンネルを有する本体を含み、前記本体は、内視鏡手術器具の入口デバイスを内視鏡手術器具の入口に固定するように内視鏡手術器具の入口の近位端に配置される固定具に対してインターロックするように対応する形状の係合部分を有するロック構造を含む該デバイス。
[４４]  前記係合部分は、突出部及び溝のうちいずれか１つ又は複数を含む[４３]に記載のデバイス。
[４５]  前記ロック構造は、スナップフィット構成又はねじ構成を含む[４３]又は[４４]に記載のデバイス。
[４６]  前記スナップフィット構成は、柔軟な弾性部材を通して前記本体の外面に連結された少なくとも１つのアームを含む[４５]に記載のデバイス。
[４７]  前記少なくとも１つのアームは、前記内視鏡手術器具の入口の近位端と係合する前記本体の遠位端を越えて延びる[４６]に記載のデバイス。
[４８]  前記ねじ構成は、前記本体の厚みを通って延びる前記チャンネルの内壁の一部に沿って配置される[４５]に記載のデバイス。
[４９]  前記本体の近位端に配置されたシールをさらに含み、前記シールは、前記本体の厚みを通って延びる前記チャンネルを覆う穿孔可能な部分を含む[４８]に記載のデバイス。
[５０]  前記穿孔可能な部分は、少なくとも１つの弱線を含み、前記穿孔可能な部分が少なくとも１つの弱線に沿って穿孔した後に前記シールによって保持される引裂部分を確立する[４９]に記載のデバイス。
[５１]  各弱線は開放端を有する[５０]に記載のデバイス。
[５２]  前記少なくとも１つの弱線が、以下の文字：Ｃ、Ｈ、Ｎ、Ｘ及びＩのいずれか１つに類似する形状を形成するように配置される[５０]に記載のデバイス。
[５３]  前記シールは、滑らかな質感を有する材料から製造される[５２]に記載のデバイス。
[５４]  前記材料は、プラスチック、紙、樹脂、ゴム及びゲルのうちいずれか１つ又は複数を含む[５３]に記載のデバイス。
[５５]  前記本体は、前記本体の近位端に配置された前記シールの下流に配置されたシール構成をさらに含む[５４]に記載のデバイス。
[５６]  前記シール構成は、前記本体の厚みを通って延びる前記チャンネルの内壁に沿って配置された内部シールを含み、前記内部シールは、前記本体の近位端に配置された前記シールの前記穿孔可能な部分の中心と整列した、穴を有する[５５]に記載のデバイス。
[５７]  前記シール構成は、前記本体の遠位端に配置されたシールをさらに含み、前記シールは、使用時に内視鏡手術器具の入口デバイスが配置される内視鏡手術器具の入口と接触するように適合される[５６]に記載のデバイス。
[５８]  前記本体の遠位端に配置されたシールと前記内部シールが、１つの部品に一体化されている[５７]に記載のデバイス。
[５９]  前記本体の近位端に配置されたシールと前記シール構成は、潤滑剤でコーティングされている[５８]に記載のデバイス。
[６０]  [５９]に記載の複数の内視鏡手術器具の入口デバイスを含む内視鏡手術器具の入口カバーであって、前記内視鏡手術器具の入口デバイスのそれぞれは、使用時に前記内視鏡手術器具の入口カバーがその上に配置されるそれぞれの内視鏡手術器具の入口と本体のチャンネルが整列するように配置される該カバー。
[６１]  内視鏡手術器具の入口デバイスであって、  本体の厚みを通って延びるチャンネルと、本体の近位端に配置されたシールとを有する本体を含み、前記シールは、前記本体の厚みを通って延びる前記チャンネルを覆う穿孔可能な部分を含む該デバイス。
[６２]  前記穿孔可能な部分は、少なくとも１つの弱線を含み、前記穿孔可能な部分が少なくとも１つの弱線に沿って穿孔した後に前記シールによって保持される引裂部分を確立する[６１]に記載のデバイス。
[６３]  各弱線は開放端を有する[６２]に記載のデバイス。
[６４]  前記少なくとも１つの弱線が、以下の文字：Ｃ、Ｈ、Ｎ、Ｘ及びＩのいずれか１つに類似する形状を形成するように配置される[６３]に記載のデバイス。
[６５]  前記シールは、滑らかな質感を有する材料から製造される[６４]に記載のデバイス。
[６６]  前記材料は、プラスチック、紙、樹脂、ゴム及びゲルのうちいずれか１つ又は複数を含む[６５]に記載のデバイス。
[６７]  前記本体は、前記本体の近位端に配置された前記シールの下流に配置されたシール構成をさらに含む[６６]に記載のデバイス。
[６８]  前記シール構成は、前記本体の厚みを通って延びる前記チャンネルの内壁に沿って配置された内部シールを含み、前記内部シールは、前記本体の近位端に配置された前記シールの前記穿孔可能な部分の中心と整列した、穴を有する[６７]に記載のデバイス。
[６９]  前記シール構成は、前記本体の遠位端に配置されたシールをさらに含み、前記シールは、使用時に内視鏡手術器具の入口デバイスが配置される内視鏡手術器具の入口と接触するように適合される[６８]に記載のデバイス。
[７０]  前記本体の遠位端に配置されたシールと前記内部シールが、１つの部品に一体化されている[６９]に記載のデバイス。
[７１]  前記本体の近位端に配置されたシールと前記シール構成は、潤滑剤でコーティングされている[７０]に記載のデバイス。
[７２]  前記本体は、内視鏡手術器具の入口デバイスを内視鏡手術器具の入口に固定するように内視鏡手術器具の入口の近位端に配置される固定具に対してインターロックするように対応する形状の係合部分を有するロック構造を含む[７１]に記載のデバイス。
[７３]  前記係合部分は、突出部及び溝のうちいずれか１つ又は複数を含む[７２]に記載のデバイス。
[７４]  前記ロック構造は、スナップフィット構成又はねじ構成を含む[７３]に記載のデバイス。
[７５]  前記スナップフィット構成は、柔軟な弾性部材を通して前記本体の外面に連結された少なくとも１つのアームを含む[７４]に記載のデバイス。
[７６]  前記少なくとも１つのアームは、前記内視鏡手術器具の入口の近位端と係合する前記本体の遠位端を越えて延びる[７５]に記載のデバイス。
[７７]  前記ねじ構成は、前記本体の厚みを通って延びる前記チャンネルの内壁の一部に沿って配置される[７６]に記載のデバイス。
[７８]  [７７]に記載の複数の内視鏡手術器具の入口デバイスを含む内視鏡手術器具の入口カバーであって、前記内視鏡手術器具の入口デバイスのそれぞれは、使用時に前記内視鏡手術器具の入口カバーがその上に配置されるそれぞれの内視鏡手術器具の入口と本体のチャンネルが整列するように配置される該カバー。